(57)【要約】【課題】  シャッターの全閉時のロック位置がオフセットしている場合でも、左右のチリ寸法が均等になるようにようにしたシャッターを提供する。【解決手段】  ロック装置３０をシャッターの中心線からスラットの長さ方向にオフセットした位置に取り付け、巾木２４の両端部のうち、ロック装置３０に近い方の端部に、シャッターを全閉位置に施錠したときに巾木２４の下端面と下枠のチリ寸法の偏りを修正するスペーサ部材４０を設ける。【選択図】  図１
2006249824.tif 000002
【特許請求の範囲】
【請求項１】
スラットを上下に連ねたスラットカーテンからなるシャッターを有し、前記スラットカーテンの巾木にシャッターを全閉位置に施錠するためのロック装置を備えたシャッター装置において、
前記ロック装置をシャッターの中心線からスラットの長さ方向にオフセットした位置に取り付け、前記巾木の両端部のうち、前記ロック装置に近い方の端部に、シャッターを全閉位置に施錠したときに巾木の下端面と下枠のチリ寸法の偏りを修正するスペーサ部材を設けたことを特徴とするシャッタ ー。
【請求項２】
前記スペーサ部材は、前記シャッターを巻き過ぎることを防止するために前記巾木の両端に取り付けるストッパに設けたことを特徴とする請求項１に記載のシャッター。
【請求項３】
前記ロック装置は、下枠に配置した突起部を抱き込むようにしてこれに係合するラッチを有し、前記ラッチが掛かり始めてから、施錠状態がロックされるまでに前記ラッチと前記突起部との間に上下方向の相対移動が必要なラッチ式ロック機構を備えていることを特徴とする請求項１に記載のシャッター。
【発明の詳細な説明】
【技術分野】
【０００１】
本発明は、建物の開口部に用いられるシャッターに係り、特に、シャッターを全閉にしてロックしたときに巾木がロック点を中心に傾き、巾木の左右のチリ寸法に偏りが生ずるのを防止できるようにしたシャッターに関する。
【背景技術】
【０００２】
住宅の雨戸や、ガレージの出入口の戸、店舗等の入口の戸として、幅の狭い薄い板であるスラットを何枚も連ねた鎧戸形式のシャッターが広く利用されている。住宅で用いられるシャッターには、シャッターの巻取り軸をモータにより駆動する電動式シャッターをサッシと一体型にしたものがある。
【０００３】
シャッターでは、全閉位置でシャッターを固定するロック装置が設けられている。そこで、図６に、一般的なシャッターを示す。
【０００４】
この図６示すように、シャッター２は、多数のスラットを連ねたもので、最下端には巾木４が取り付けられている。上部には、シャッター２を巻き挙げるドラム式の巻き取り装置が配置されている。巾木４には、ロック装置５が取り付けられており、ロック装置５が係合するロック受部材６は下枠７に取り付けられている。
【０００５】
従来のシャッターでは、ロック位置には２種類あって、センタがロック位置になっているものと、巾木の両端がロック位置になっているものと、がある。このうち、両端をロックする構造では、ロックの解除操作をするには巾木の長さ方向に延びる棒を用いて巾木両端のロック機構を操作しなければならないので、構造が複雑になり高価になるという問題がある。この点、センタタイプのロック機構では、構造が複雑化しない利点があり、この種のロック機構の従来技術としては、例えば、２００１−３１１３４１号に開示されているものを挙げることができる。
【特許文献１】特開２００１−３１１３４１号公報
【発明の開示】
【発明が解決しようとする課題】
【０００６】
しかしながら、ロック位置がセンタタイプのシャッターでは、サッシ一体型にしたような場合は引違いに設けた障子の框がロック機構を操作するときに干渉するという問題がある。このため、実際には、図６に示すように、ロック位置を中央から左右のいずれかの側にオフセットさせることが行われている。
【０００７】
ところが、ロック位置をオフセットさせると、次のような問題が生じる。すなわち、シャッターには、常時、上方向に巻き上げる力が働いており、この上方向の力は、シャッターを全閉ロックにしたときには、ロック位置を中心として左右のモーメントとして働くことになる。したがって、ロック位置がオフセットしていると、左右のモーメントの大きさが異なり、支点からの距離が長い方の端部はより大きいモーメントがかかって上がり、短い方は逆に下がることになる。このため、下枠の上面と巾木の下端との間にできる隙間のチリ寸法が巾木の左右で異なる。
【０００８】
このようなチリ寸法の偏りは、シャッターの機能上は何ら問題ものではあるが、あたかもシャッターの巾木が傾いているように、見栄えの点からは問題視されることがある。特に、新築住宅が完成したときに行われる検査で、不具合として指摘されることがある。
【０００９】
そこで、本発明の目的は、前記従来技術の有する問題点を解消し、シャッターの全閉時のロック位置がオフセットしている場合でも、左右のチリ寸法が均等になるようにようにしたシャッターを提供することにある。
【課題を解決するための手段】
【００１０】
前記の目的を達成するために、本発明は、スラットを上下に連ねたスラットカーテンからなるシャッターを有し、前記スラットカーテンの巾木にシャッターを全閉位置に施錠するためのロック装置を備えたシャッター装置において、前記ロック装置をシャッターの中心線からスラットの長さ方向にオフセットした位置に取り付け、前記巾木の両端部のうち、前記ロック装置に近い方の端部に、シャッターを全閉位置に施錠したときに巾木の下端面と下枠のチリ寸法の偏りを修正するスペーサ部材を設けたことを特徴とするものである。
【００１１】
前記スペーサ部材は、前記シャッターを巻き過ぎることを防止するために前記巾木の両端に取り付けるストッパに設けることが好ましい。
【００１２】
また、前記ロック装置は、下枠に配置した突起部を抱き込むようにしてこれに係合するラッチを有し、前記ラッチが掛かり始めてから、施錠状態がロックされるまでに前記ラッチと前記突起部との間に上下方向の相対移動が必要なラッチ式ロック機構を備えていることが好ましい。
【発明の効果】
【００１３】
本発明によれば、巾木の片方の端部のみにスペーサを取り付けることによって、ロック装置の施錠動作を阻害することなく円滑な施錠動作を確保すると同時ににチリ寸法の偏りを修正して、巾木を水平に調整することができる。
【発明を実施するための最良の形態】
【００１４】
以下、本発明によるシャッターの一実施形態について、添付の図面を参照しながら説明する。  
図１は、本発明をシャッタ一体型サッシに適用した実施形態を示す縦断面図で、図２は、このシャッタ一体型サッシの横断面図である。この図１、図２において、上枠１０（図１参照）、下枠１１、縦枠１２、縦枠１３からサッシ枠が四方組みされている。このサッシ枠には、障子１４、１５、網戸１９が引違いに取り付けられている。
【００１５】
上枠１０の上部には、シャッター巻取り装置１６が一体的に取り付けられている。このシャッター巻取り装置１６では、細長いボックス１７の内部に巻取りパイプ１８が収容されている。
【００１６】
図２において、２０は巻取りパイプ１８に巻き取られているシャッターカーテンを示す。このシャッターカーテン２０は多数のスラット２０ａを幅方向に連ねることにより、巻取りパイプ１８で巻き取れるように可撓性を有する一枚のシャッターカーテンが構成されている。巻取りパイプ１８の反時計回りの回転により、シャッターカーテン２０はガイドレール２３の繰出口２２から繰り出されて、ガイドレール２３（図２参照）に導かれながら下降する。シャッターカーテン２０の最下端には巾木２４が取り付けられている。図１において、鎖線で示す巾木２４ａは、シャッタの全閉位置での下降位置を示す。シャッターカーテン２０が巻き上げられていくと、実線で示す巾木２４の位置まで巻き上げられる。巾木２４の両端部には、過巻き防止用のストッパ２５が取り付けられており、このストッパが上枠１０の一部に当たって、これ以上巻き上げられないようになっている。
【００１７】
なお、巻取りパイプ１８には、図示しないねじれコイルバネのねじりトルクが巻き取りパイプ１８の巻き取り方向に作用しているので、さほどシャッターカーテン２０を巻き上げるのにも力を要せず、簡単に巻き上げることができる。
【００１８】
図２に示すように、シャッターカーテン２０の巾木２４には、シャッターを全閉位置に施錠するためのロック装置３０が取り付けられている。このロック装置３０は、網戸１９の框や障子１４の框と操作時に干渉しないように、シャッターの中心線からスラットの長さ方向に距離Ｌだけオフセットした位置に取り付けられている。
【００１９】
この実施形態では、ロック装置３０として、図３に示すようなラッチ式ロック機構を備えたものが用いられている。このロック装置３０は、下枠１１に固定されているロック受け部材の受けピン３１と組み合わせて使用されるものである。ロック装置３０は、受けピン３１と着脱自在に係合するラッチ部材３２を備えている。このラッチ部材３２は、受けピン３１が係合可能な窪み３１ａを有している。また、ロック装置３０の本体部３０ａには、受けピン３１が下方から入り込めるように切欠部３３が形成されている。図３において、ラッチ部材３２は、軸３４を中心に鎖線で示す解錠位置と実線で示す施錠位置との間を回動するようになっており、シャッターの全閉位置まで下降されると、ラッチ部材３２の位置を解錠位置に保つストッパが外れて、内蔵されているバネの弾性力でラッチ部材３２は施錠位置まで回動する。このとき、ラッチ部材３２は、窪み３１ａと切欠部３３内に受けピン３１を抱え込んで係止するようになっている。なお、解錠するときには、操作紐３５を上方に引っ張り上げると、ラッチ部材３２が解錠位置まで回動するので、受けピン３１が離脱可能となり解錠することができる。
【００２０】
このようなラッチ機構を有するロック装置３０では、ラッチ部材３２が掛かり始めてから、施錠状態にロックされるまでは、ラッチ部材３２と受けピン３１との間に上下方向に少なくとも距離Ｓだけの相対移動が必要である。
【００２１】
次に、図４は、シャッターカーテン２０の巾木２４の端部を示す。この巾木２４の両端部には、上述したようにそれぞれ過巻き防止用のストッパ２５が取り付けられているが、このうち、上述したロック装置３０からの距離が短い方のストッパ２５の下面には、シャッターを全閉位置に施錠したときに巾木２４の下端面と下枠１１との間のチリ寸法の偏りを修正するスペーサ部材４０が取り付けられている。このスペーサ部材４０の厚さは、チリ寸法が巾木２４の左右両端で均等になるように設定されている。なお、この実施形態では、スペーサ部材４０をストッパ２５とは別部品としているが、ストッパ２５と一体構造のものとしてもよい。
【００２２】
本実施形態は、以上のように構成されるものであり、次に、その作用並びに効果について説明する。  
図５は、シャッターカーテン２０を全閉位置まで降ろし、ロック装置３０を施錠するまでの一連の動きを誇張して示す説明図である。  
本実施形態のように、ロック装置３０の取り付け位置がオフセットしている場合、従来のシャッターであれば、図６に示したように、チリ寸法が左右で異なり、ロック位置から遠い方の隙間が大きくなるという不都合があった。
【００２３】
これに対して、本発明では、次のようにして、チリ寸法の左右の偏りをスペーサ部材４０により修正して、チリ寸法を巾木２４の左右で等しく均等にすることができる。  
すなわち、図３において、シャッターカーテン２０を降ろすと、ロック装置３０に受けピン３１が当接した位置からロックが掛かりはじめる。そうすると、受けピン３１がラッチ部材に抱え込まれる間の過程で、図５（ａ）に示すように、スペーサ４０が下枠１１に当接する。なぜなら、巾木２４の両端では、スペーサ４０の取り付けられた方がその厚さ分だけ下がっているからである。
【００２４】
スペーサ４０が下枠１１に当たった時点では、ロック装置３０は完全に施錠していないので、さらに、シャッターカーテン２０が慣性で下降しようとする。そうすると、図６（ｂ）に示すように、巾木２４ではスペーサ４０のない方の端部が慣性で下がり、これに伴いスペーサ４０のある方は逆にあがり、ロックが完全に効くことなる。
【００２５】
シャッターカーテンが全閉位置にロックされた状態では、シャッターカーテンには、引き上げる上方の力が作用しているので、この力はロック位置を支点として左右のモーメントとして働くことになる。したがって、図５（ｃ）に示すように、支点からの距離が長い方、すなわちスペーサ４０のない方はより大きいモーメントがかかって上がり、スペーサ４０のある方は逆に下がり、その結果、巾木２４は水平に調整され、下枠１１の上面と巾木２４の下端との間の隙間は均等になり、チリ寸法の偏りは左右均等に修正されることになる。
【００２６】
このように、巾木２４の両端のうち、片方のみにスペーサ４０を取り付けることによって、ロック装置３０の施錠動作を阻害することなく円滑な施錠動作を確保すると同時にチリ寸法の偏りを修正して、巾木２４を水平に調整することができる。
【００２７】
しかも、本実施形態のように、シャッターカーテンの過巻き防止用としてもととも取り付けられているストッパー２５に取り付けることにより、スペーサ４０はガイドレール２３に隠れて見えない部分にあり、外観を損なうことがない。
【図面の簡単な説明】
【００２８】
【図１】本発明をサッシ一体型シャッターに適用した実施形態を示す縦断面図。
【図２】同サッシ一体型シャッターの横断面図。
【図３】シャッターの巾木に取り付けられるロック装置を示す正面図。
【図４】巾木の端部の構成を示す説明図。
【図５】本発明の実施形態におけるシャッター全閉時の動作説明図。
【図６】従来のロック装置の取付位置がオフセットしているシャッターにおける問題点の説明図。
【符号の説明】
【００２９】
１０  上枠
１１  下枠
１２  縦枠
１３  縦枠
１４  障子
１５  障子
１６  シャッター巻取り装置
１８  巻き取りパイプ
２０  シャッターカーテン
２４  巾木
２５  ストッパ
３０  ロック装置
３１  受けピン（突起部）
３２  ラッチ部材
４０  スペーサ
【図１】
2006249824.tif 000003
【図２】
2006249824.tif 000004
【図３】
2006249824.tif 000005
【図４】
2006249824.tif 000006
【図５】
2006249824.tif 000007
【図６】
2006249824.tif 000008